(57)【要約】【課題】構造が単純で軽量なフルカット専用のカッター装置とほぼ同一形状でありながら、パーシャルカットを行なうことが出来るパーシャルカット専用のカッター装置を提供する。また、ほぼ同じ形状のカッター装置でパーシャルカットとフルカットの何れにも簡単に切り替えが出来るカッター装置を提供する。【解決手段】固定刃１の切り終り側の刃先に切り欠き部１２を設ける。切り欠き部１２は固定刃１の上面に送られて来る被切断用紙Ｐの切り終り側の端部が幅方向で所定の量Ｒだけが切り欠き部１２の上を通る状態になるような長さの切り欠きとする。また、固定刃１をカッターフレーム３にスライド可能に取り付ける。【選択図】          図２
2004330356.tif 000002
【特許請求の範囲】
【請求項１】
カッターフレームと、該カッターフレームに固定され、上面が被切断用紙の受け板を兼ねる平板状の固定刃と、該固定刃と平行になるように前記カッターフレームに設けられている移動経路に沿って前記固定刃の長手方向に往復移動する丸刃保持台と、該丸刃保持台に回転自在に保持され、切断移動方向側の刃先を前記固定刃の刃先に圧接させている丸刃と、前記丸刃保持台を往復移動させる駆動手段とからなり、前記固定刃の刃先と前記丸刃の刃先とによって被切断用紙を幅方向に切断するカッター装置において、前記固定刃の切り終り側の刃先に切り欠き部を設けたことを特徴とするカッター装置。
【請求項２】
固定刃がカッターフレームの長手方向に所定の距離だけスライド可能であり、且つ前記固定刃は固定手段によって前記カッターフレームの少なくとも二通りの位置でそれぞれ固定可能とされていることを特徴とする請求項１に記載のカッター装置。
【発明の詳細な説明】
【０００１】
【発明が属する技術分野】
本発明は、主にロール紙を切断するためのカッター装置に係り、特に、レシート用等の小型のプリンタにおいて被切断用紙の切り終り側の一部を切り残すようにするパーシャルカット、或は被切断用紙の幅方向全体を切断して用紙を切り離すようにするフルカットを行うことが出来るカッター装置に関する。
【０００２】
【従来の技術】
この種のカッター装置でフルカットとパーシャルカットの両方が行えるカッター装置としては、例えば、カッター装置が被切断用紙をフルカットしてしまうようにプリンター装置に取り付ける位置から丸刃の切断移動方向側に所定の距離だけずらしてそのカッター装置を固定するようにしてパーシャルカットを得るようにしたもの（例えば、特許文献１参照。）、や機構的な変換によって丸刃がフルカットしてしまう手前で丸刃を保持している丸刃保持台が復帰行程に切り替わるようにしてパーシャルカットを行うようにしたもの（例えば、特許文献２参照。）、或は、丸刃を保持している丸刃保持台を強制的に止めるストッパー部材を着脱自在に設け、そのストッパー部材を所定の箇所に装着することによって丸刃を保持している丸刃保持台をフルカットを行う手前で止めてパーシャルカットを行うようにしたもの（例えば、特許文献３参照。）等がある。
【０００３】
【特許文献１】
特開２００２−１２７０８１号公報（請求項１、及び、段落番号００２２）
【特許文献２】
特開２００２−１２７０８０号公報（請求項１、及び、段落番号００３１）
【特許文献３】
特開２００２−２１９６８８号公報（請求項１、及び、図５）
【０００４】
【発明が解決しようとする課題】
ところで、上述した従来技術のうち、特開２００２−１２７０８１号公報（特許文献１）に記載されたカッター装置は、被切断用紙に対してフルカットを行うための固定位置からカッター装置を丸刃の切断移動方向側に所定の距離だけずらしてプリンター装置の内部に固定するようにし、丸刃がロール紙の全幅を切り終わる前に復帰行程に切り替わってしまうようにしたものである。しかし、このカッター装置の場合には位置をずらして取り付けるためのスペースがプリンター装置の内部に必要になるため、その分プリンター装置の幅が広くなってしまうという問題があり、特に、プリンター装置本体を他の装置に内臓して使用するような場合に問題となる。
【０００５】
また、特開２００２−１２７０８０号公報（特許文献２）に記載されているカッター装置は、丸刃を保持している移動刃キャリアの側面にロの字掘割状の溝を設け、キャリア送りベルトに固定されているキャリア連結部材をロの字掘割状の溝に滑動自在かつ一方向の所定箇所からは制限部材によって進入不可能となるように係合させ、フルカット時とパーシャルカット時ではキャリア送りベルトの回転方向を逆にし、フルカット時にはキャリア連結部材が切断待機位置側の溝に留まり、パーシャルカット時にはキャリア連結部材が切断移動方向側の溝に移動するようにしてロの字掘割状の溝の左右の溝の距離を利用してフルカットとパーシャルカットの切り替えを行うようにしたものであり、制御手段によって最終ユーザーが自由に両者を選択することが出来るものとなっている。しかし複雑な部品類を多く必要とし、装置全体の構造も複雑なものとなってしまい、その上、部品同士の接触により騒音が発生する可能性もある。
【０００６】
次に、特開平２００２−２１９６８８号公報（特許文献３）に記載されたカッター装置は、内周面に歯形があり、２個のプーリに掛け渡されて一方向のみに回転する回転駆動ベルトと、切断刃ホルダに保持されて上下の回転駆動ベルトの中間に位置し、歯が一部欠けた状態の欠け歯部分を有する欠け歯歯車とを利用して、欠け歯歯車の欠け歯部分が上向きのときには欠け歯歯車の歯が下側のベルトと噛み合い、その結果、丸刃を下側のベルトの移動方向と同じ方向に移動させ、反対に欠け歯歯車の欠け歯部分が下向きのときには欠け歯歯車の歯が上側のベルトと噛み合い、それにより丸刃を上側のベルトの移動方向と同じ方向に移動させるようにし、別に設けたストッパ部材によって欠け歯歯車の移動が制限されて欠け歯歯車に所定値以上の回転力が作用したときに欠け歯歯車が半回転して回転駆動ベルトと欠け歯歯車との噛み合いが上下反転し、丸刃の移動方向が切り替わるようにしたものであり、ストッパ部材の位置を変えることによってフルカットとパーシャルカットとの選択ができるようにしたものである。しかし、この場合にも構成部品の数が多くなり、その上、騒音が発生する可能性も否定できない。また、駆動ベルトやプーリー軸に無理な負荷が掛かることになり、プーリー軸を太くする等の対策も必要になる。
【０００７】
本発明は、上述したような従来のカッター装置にあってはプリンター装置の幅が広くなってしまうという問題、或は最終ユーザーにおいてフルカットとパーシャルカットの選択が自由に行えるようなプリンター装置とするために複雑な機構を採用し、カッター装置の重量が大きくなってしまったり、必要以上に高価なものとなってしまうというような問題、或は、レシート用等の小型のプリンター装置にあってはフルカットとパーシャルカットとを最終ユーザーが自由に切り替えられる機能が必ずしも必要とされるものではなく、プリンターの出荷段階でフルカット専用またはパーシャルカット専用として組み立てることも多いこと等の理由に鑑みてなされたものであり、まず、構造が単純なフルカット専用のカッター装置とほぼ同一形状のままでパーシャルカットを行うことが出来るパーシャルカット専用のカッター装置を提供することを第１の目的とし、次に、同じカッター装置によって出荷段階のみならず最終ユーザーにおいてもパーシャルカットとフルカットの切り替えが容易に行えるようにしたカッター装置を提供することを第２の目的とする。
【０００８】
【課題を解決するための手段】
本発明は上述の目的を達成するためになされたものであり、第１の発明は、カッターフレームと、そのカッターフレームに固定されていて上面が被切断用紙の受け板を兼ねている平板状の固定刃と、その固定刃と平行になるようにカッターフレームに設けられている移動経路に沿って固定刃の長手方向に往復移動する丸刃保持台と、その丸刃保持台に回転自在に保持されている丸刃であって、切断移動方向側の刃先を固定刃の刃先に圧接させている丸刃と、丸刃保持台を往復移動させる駆動手段とからなり、固定刃の刃先と丸刃の刃先とによって被切断用紙を幅方向に切断するカッター装置において、固定刃の切り終り側の刃先に切り欠き部を設けたカッター装置としたものである。
【０００９】
また、第２の発明は上述のカッター装置において、固定刃をカッターフレームの長手方向に所定の距離だけスライド可能とし、その固定刃がカッターフレームの少なくとも二通りの箇所で固定することが出来るカッター装置とする。
【００１０】
本発明のカッター装置によれば、簡単な機構によって軽量で安価なパーシャルカット専用のカッター装置を得ることが出来るようになると共に、固定刃をカッターフレームに対してスライド可能とすることによって簡単にパーシャルカットとフルカットの切り替えが行えるカッター装置を得ることも出来るようになる。
【００１１】
【発明の実施の形態】
以下本発明の実施の形態について図１乃至図４を参照しながら説明する。図１は本発明に係る用紙切断装置の一実施の形態を示す正面図であり、図２は前面のフレームカバー５０を外したときの正面図である。図３は図２の平面図である。図において、カッターフレーム３の上部には薄鋼板製の固定刃１が接着剤やスポット溶接、或はビス止め等の固定手段によって固定されており、その固定刃１の上面は被切断用紙Ｐの受け板を兼ねているので固定刃１の長さは被切断用紙Ｐの幅Ｗよりも両側で長くなっている。
【００１２】
一方、カッターフレーム３には移動経路５が設けられており、その移動経路５は丸刃２を保持している丸刃保持台４がカッターフレーム３の左右方向に往復移動するときのガイドになる。そして、移動経路５と固定刃１の刃先１１とが平行になるように固定刃１がカッターフレーム３の上部に固定されている。
【００１３】
丸刃保持台４は固定刃１の上側にあって丸刃２を回転自在に保持している丸刃ケース部４１と固定刃１の下側にあって移動経路５に沿って移動する摺動保持部４２とからなり、丸刃ケース部４１と摺動保持部４２とは固定刃の刃先１１を跨ぐ連結部４３によって一体に結ばれている。
【００１４】
カッターフレーム３の左右両端近傍にはプーリー８、８、が回転自在にプーリー軸７、７、によって支持されており、そのプーリー８、８、にはモーター６、及び駆動側歯車１３や従動側歯車１４等からなる駆動手段によって左右方向に交互に走行が切り替わるワーヤー９が架け渡され、そのワイヤー９に牽引されて丸刃保持台４が往復移動するように摺動保持部４２にワイヤー９が係止されている。
【００１５】
丸刃ケース部４１には丸刃２がピン軸１５によって回転自在に軸支され、丸刃２の側面に組み込まれた付勢手段によって丸刃２の切断移動方向Ｘ側の刃先が固定刃の刃先１１に常時圧接されている。そして、丸刃保持台４が切断移動方向Ｘに移動するときに被切断用紙Ｐが幅方向に切断されるようになっている。また、このとき丸刃保持台４は丸刃２の刃先の切断点Ｓが固定刃１の上面に送られた被切断用紙Ｐの幅方向の手前から入り被切断用紙Ｐの幅を越える距離だけワイヤー９によって往復移動されるように駆動手段が別に設けられている制御手段（図示せず）によって制御される。
【００１６】
一方、固定刃１の切り終り側には刃先に切り欠き部１２が設けてあり、固定刃１の上面に送られて来る被切断用紙Ｐの切り終り側の端部が幅方向で所定の量Ｒだけ切り欠き部１２の上を通る状態になるように切り欠かれている。この刃先の切り欠き部１２によって固定刃の刃先１１と丸刃２の切断点Ｓとの圧接が解除されるので、切り欠き部１２では被切断用紙Ｐは切断されることがなく被切断用紙Ｐの切り終り側には切り残し部が出来、パーシャルカットが得られる。また、固定刃１に切り欠き部１２を設けても固定刃１の全体の長さは変わらないので被切断用紙Ｐの受け板としての機能はそのま維持される。
【００１７】
次に、図４は、切り欠き部１２が設けられている固定刃１をカッターフレーム３の長手方向で丸刃２の切断移動方向Ｘ側に所定の距離Ｙだけスライド可能としたカッター装置であり、カッターフレーム３の上面に設けられた複数の止めピン２１とその止めピン２１に合致するように固定刃１に設けられた異形長孔２２及び異形スロット２３によってスライド可能とされ、異形長孔２２及び異形スロット２３の所定の位置でそれぞれ止めピン２１によって固定刃１がロックされるようになっている。
【００１８】
固定刃１がカッターフレーム３に対してスライド出来る距離Ｙは、固定刃１の上面に送られて来る被切断用紙Ｐの切り終わり側端部から切り欠き部１２が被切断用紙Ｐの幅方向で若干離間するまで移動される距離である。これにより、固定刃の刃先１１と丸刃２の切断点Ｓとの圧接状態は被切断用紙Ｐの切り終り側端部を過ぎるまで維持されるので、被切断用紙Ｐは全幅に亘って切断されフルカットが得られる。また、移動される距離Ｙの値は固定刃１をカッターフレーム３に対してスライドさせても固定刃１がカッターフレーム３の長さ方向にはみ出ない寸法となっている。
【００１９】
また、上述した止めピン２１に替えてビス等の他の固定手段を採用することも出来、ビス等を利用することによって固定刃１に設けられた長孔の長さの範囲（Ｙ）で固定刃１の固定位置を変えることも可能になるのでパーシャルカット時の被切断用紙Ｐの切り残し部の幅寸法を調整することも出来るようになる。
【００２０】
尚、図４においては異形長孔２２と異形スロット２３を設けた固定刃１について説明したが、両側を異形長孔２２とした固定刃１としてもよい。また、符号２４は固定刃１の端部を折り曲げて形成した移動用のつまみである。
【００２１】
【発明の効果】
本発明の用紙切断装置によれば、構造が簡単で軽量なフルカット専用のカッター装置とほぼ同一形状のままでパーシャルカットを行うことが出来るパーシャルカット専用のカッター装置を得ることができるようになる。また、ほぼ同じ形状のカッター装置によって出荷段階のみならず最終ユーザーにおいてもパーシャルカットとフルカットの切り替えが容易に行えるるようにしたカッター装置を得ることも出来るようになる。
【図面の簡単な説明】
【図１】本発明に係る用紙切断装置の一実施の形態を示す正面図である。
【図２】図１における用紙切断装置の前面のフレームカバーを外した状態の図である。
【図３】図２における用紙切断装置の平面図である。
【図４】本発明に係る用紙切断装置の別の実施の形態を示す平面図である。
【符号の説明】
１  固定刃
２  丸刃
３  カッターフレーム
４  丸刃保持台
５  移動経路
６  モーター
７  プーリー軸
８  プーリー
９  ワイヤー
１１  固定刃の刃先
１２  切り欠き部
１３  駆動側歯車
１４  従動側歯車
１５  ピン軸
２１  止めピン
２２  異形長孔
２３  異形スロット
２４  移動用のつまみ
４１  丸刃ケース部
４２  摺動保持部
４３  連結部
５０  フレームカバー
Ｐ  被切断用紙
Ｗ  被切断用紙の幅
【図１】
2004330356.tif 000003
【図２】
2004330356.tif 000004
【図３】
2004330356.tif 000005
【図４】
2004330356.tif 000006
【手続補正書】
【提出日】平成15年5月9日(2003.5.9)
【手続補正１】
【補正対象書類名】図面
【補正対象項目名】全図
【補正方法】変更
【補正の内容】
【図１】
2004330356.tif 000007
【図２】
2004330356.tif 000008
【図３】
2004330356.tif 000009
【図４】
2004330356.tif 000010